(57)【要約】      （修正有）【課題】力を加え、所定形状に屈曲形成させるとともに、所定形状に保持することができる光ファイバコネクタ用ブーツを提供する。【解決手段】軸方向を定義する中空柱体２１０と、中空柱体に形成される突出部２３０と、突出部内に配設される形状保持具と、を備え、形状保持具は、突出部内に嵌合される直線部２４４と曲げ部２４２を有し、曲げ部を覆っている突出部の部分は、欠け口２３４を有する。また突出部には、複数のスロット２３２が中空柱体まで延在して形成され、且つ、スロットから形状保持具の一部が露出している。【選択図】図５
0003197752.tif 000002
【実用新案登録請求の範囲】
【請求項１】
軸方向を定義する中空柱体と、
中空柱体に形成される突出部と、
突出部内に配設される形状保持具と、
を備える光ファイバコネクタ用ブーツであって、
前記形状保持具は、前記突出部内に嵌合される曲げ部を有することを特徴とする光ファイバコネクタ用ブーツ。
【請求項２】
前記曲げ部を覆っている前記突出部の部分は、欠け口を有することを特徴とする請求項１に記載の光ファイバコネクタ用ブーツ。
【請求項３】
前記突出部に、複数のスロットが形成されて前記中空柱体まで延在しており、且つ、前記スロットから前記形状保持具の一部が露出していることを特徴とする請求項１に記載の光ファイバコネクタブーツ。
【考案の詳細な説明】
【技術分野】
【０００１】
本考案は、光ファイバコネクタに関するものであり、特に、光ファイバコネクタ用ブーツに関するものである。
【背景技術】
【０００２】
図1を参照して、公知の光ファイバコネクタ100が示されている。光ファイバコネクタ100に含まれる光ファイバ120は、光ファイバコネクタ100の後端部に配置されるブーツ110より延在している。ブーツ110に横方向の力を受ける場合、例えば、光ファイバは重力を受けてブーツ110を引っ張る時、ブーツ110に湾曲が生じる。この横方向の力が大きすぎると、ブーツ110に大きな湾曲が生じ、更に光ファイバに微量の曲げ損失が生じる。そのほか、前記光ファイバ120は、配線ボックス内に配設されることが一般的であり、配線ボックス内のスペースは大きくないため、通常では、光ファイバを整理して仕上げの束にする必要があり、これによってブーツ110に湾曲が生じることはある。
【０００３】
これに鑑み、上述の問題を解決するように、解決案を提供する必要がある。
【考案の概要】
【考案が解決しようとする課題】
【０００４】
本考案は、光ファイバコネクタ用ブーツを提供することを目的とする。
【課題を解決するための手段】
【０００５】
上記目的を達成するため、本明細書に記載されている光ファイバコネクタ用ブーツは、軸方向を定義する中空柱体と、中空柱体に形成される突出部と、突出部内に配設される形状保持具を有し、前記形状保持具は、前記突出部内に嵌合される曲げ部を有する。
【０００６】
本明細書に記載されている光ファイバコネクタ用ブーツによれば、前記曲げ部を覆っている前記突出部の部分は、欠け口を有している。
【０００７】
本明細書に記載されている光ファイバコネクタ用ブーツによれば、前記突出部に、複数のスロットが形成されて前記中空柱体までに延在すると共に、前記各スロットから前記形状保持具の一部が露出している。
【考案の効果】
【０００８】
本明細書に記載されている光ファイバコネクタ用ブーツによれば、ブーツに力を加え、ブーツを所定形状に屈曲形成させることができる。ブーツが曲がった後、その内部の形状保持具もブーツの屈曲に沿って曲げられるようになる。そして、ブーツを屈曲させる力を除いた後、形状保持具が可塑性を有することによって、ブーツを所定形状に保持させることができる。ブーツを元の形状に戻すには、ブーツに力を加えてそれを屈曲しさえすればよい。
【０００９】
本考案の上述の特徴、並びにその他の目的、特徴及び長所をより明確にするために、以下、図面を参照して詳しく説明する。また、本明細書の説明において、同一部材には同一の図面符号が付されていることを予め説明する。
【図面の簡単な説明】
【００１０】
【図１】公知の光ファイバコネクタを示す斜視図である。
【図２】本願に係る光ファイバコネクタ用ブーツを示す斜視図である。
【図３】図2中の線3-3に沿う断面図である。
【図４】本願に係る光ファイバコネクタ用ブーツ内の形状保持具を示す斜視図である。
【図５】本願に係る光ファイバコネクタの形状保持具の直線部及び曲げ部がブーツの突出部内に嵌合されることを示している。
【考案を実施するための形態】
【００１１】
図2及び図3に示すように、本考案に係る光ファイバコネクタ用ブーツ200は、光ファイバコネクタに接続されると共に、光ファイバコネクタの光ファイバを囲繞してそれに接続されることに用いられる。ブーツ200は弾性を有する中空柱体210を備え、前記中空柱体210は円筒状であって、且つ軸方向220を定義し、また、光ファイバは、中空柱体210の中空部212を貫通して光ファイバコネクタに接続される（図示しない）。中空柱体210の外表面に軸方向220と平行に配置された突出部230が形成され、前記突出部230と中空柱体210が一体形成されている。突出部230の内部に、軸方向220とほぼ平行に配置された形状保持具240が埋め込まれており、例えば、金属や針金が挙げられ、前記形状保持具240は、形状保持の機能を有する。また、突出部230に複数のスロット232が形成され、当該複数のスロット232が中空柱体210まで延在すると共に、形状保持具240のごく一部が各スロット232から露出している。
【００１２】
本明細書に記載された光ファイバコネクタ用ブーツ200により、ブーツ200に力を加えて所定形状に屈曲形成させることができる。ブーツ200が曲がった後、その内部の形状保持具240もブーツの屈曲に沿って曲げられるようになる。そして、ブーツ200を屈曲させる力を除いた後、形状保持具240が可塑性を有することによって、ブーツ200を所定形状に保持することができる。ブーツ200を元の形状に戻すには、ブーツ200に力を加えてそれを屈曲しさえすればいい。注意しなければならないことは、本考案に係る形状保持具240が外力の作用を受けると変形し、外力を除いた後、依然としてこの形状を保持することができることである。そのほか、再び変形後の形状保持具240に外力を加え、それを元の形状に回復させることができる。
【００１３】
図4及び図5に示すように、ブーツ200を屈曲した場合、形状保持具240が突出部230内に移動又は転動するのを防止するために、形状保持具240は曲げ部242を有し、つまり、形状保持具240は直線部244と曲げ部242とで構成される。また、形状保持具240の曲げ部242が突出部230内に嵌合されるので、突出部230内に移動又は転動することはあり得ない。そのほか、図2を参照すると、曲げ部242を覆っている突出部230の部分は、欠け口234を有し、この近くの中空柱体210を容易に湾曲させる。
【００１４】
本明細書に記載されている光ファイバコネクタ用ブーツによれば、当該ブーツは、如何なる形式の光ファイバコネクタにも適用することができ、FC、SC、LC及びMPO型等の光ファイバコネクタを含む。
【００１５】
本考案は既に、前述の実施形態で開示されているものの、開示されている考案に限定されず、本考案の属する技術の分野における通常の知識を有する者は、本考案の精神及び範囲から逸脱することなく、相当に変更または補正をすることができる。よって、本考案の保護範囲は、前述の実用新案登録請求の範囲に基づいて定めなければならない。
【符号の説明】
【００１６】
100              光ファイバコネクタ
110              ブーツ  
120              光ファイバ
200              ブーツ
210              中空柱体
212              中空部
220              軸方向
230              突出部
232              スロット
234              欠け口
240              形状保持具
242              曲げ部
244              直線部
【図１】
0003197752.tif 000003
【図２】
0003197752.tif 000004
【図３】
0003197752.tif 000005
【図４】
0003197752.tif 000006
【図５】
0003197752.tif 000007